(57)【要約】本発明は、枕の使用者が自分の身体的特徴に基づいてより正確な高さの枕を選定できるようにして安らかな睡眠をとることができるように、使用者の頭の形状を勘案して座高を基準に枕の高さをより正確、且つ容易に調整できる枕に関する。本発明による枕は、枕本体内容物11が満たされる空間を有する枕本体袋13と、頸椎の高さ調整用内容物21が満たされる空間を形成するために、頸椎が接触する部分51の下側で上記枕本体袋13と一体的に形成される頸椎の高さ調整用袋23と、上記の頸椎の高さ調整用袋23に隣接して配置され、頭の高さ調整用内容物31が満たされる空間を形成するために、頭が接触する部分52の下側で上記枕本体袋13と一体的に形成される頭の高さ調整用袋33を備える。
2005520585.tif 000002
【特許請求の範囲】
【請求項１】
枕本体内容物11が満たされる空間を有する枕本体袋13と、
頸椎の高さ調整用内容物21が満たされる空間を形成するために、頸椎が接触する部分51の下側で上記枕本体袋13と一体的に形成される頸椎の高さ調整用袋23と、
上記頸椎の高さ調整用袋23に隣接して配置され、頭の高さ調整用内容物31が満たされる空間を形成するために、頭が接触する部分52の下側で上記枕本体袋13と一体的に形成される頭の高さ調整用袋33を備えることを特徴とする枕。
【請求項２】
枕本体袋13と頸椎の高さ調整用袋23と頭の高さ調整用袋33の入口は、スライドファスナー100により開閉されることを特徴とする請求項１記載の枕。
【請求項３】
枕本体袋13と頸椎の高さ調整用袋23と頭の高さ調整用袋33の入口は、ベルクロファスナー101により開閉されることを特徴とする請求項１記載の枕。
【請求項４】
頸椎の高さ調整用袋23に満たされる頸椎の高さ調整用内容物21と、頭の高さ調整用袋33に満たされる頭の高さ調整用内容物31は、パッド形態であることを特徴とする請求項１〜３のいずれか１項に記載の枕。
【請求項５】
頸椎の高さ調整用袋23に満たされる頸椎の高さ調整用内容物21と、頭の高さ調整用袋33に満たされる頭の高さ調整用内容物31は、パイプ形態であることを特徴とする請求項１〜３のいずれか１項に記載の枕。
【発明の詳細な説明】
【技術分野】
【０００１】
本発明は、就寝時または横たわった姿勢での休息時に、人の頭と頸椎を正しく支持するように枕の高さが調整できる構造を有する枕に関する。
【背景技術】
【０００２】
従来、“枕と枕用高さ調整用パッドの製造方法”という名称で出願された大韓民国特許公開第2001-0099097号は、多数のパッドを利用して、使用者の座高に応じて使用に適した高さに枕の高さを調整できる枕が提案されている。
【０００３】
この従来技術は図1に示されたように、枕本体1の高さを調整するために、枕本体1の下部に適当な数の高さ調整用パッド3が配置される。これから分かるように、枕本体1の下部に配置される高さ調整用パッド3の数が多いほど枕本体1の高さは高くなり、枕本体1の下部に配置される高さ調整用パッド3の数が小さいほど枕本体1の高さは低くなる。
【０００４】
図2は、図1の状態で枕カバー2を枕本体1に被せた状態の断面図であって、高さ調整用パッド3により、人の頸椎が接触する頸椎接触部分41と、人の頭が接触する頭接触部分42の高さが別々に区分されない状態で枕の高さ調整されることを示したものである。
【０００５】
図3は、韓国人の標準の頭の形状に近い人が枕をしている状態を示した図面であって、頭の奥行 (front-to-back head length)と頭の幅 (side-to-side head width)の比率が1:0.85という韓国人の平均比率を有する者が枕をしている状態を示している。座高に基づいた適切な枕本体1の高さになるように、枕本体1の下段に多数の高さ調整用パッド3が配置された後、枕カバー2が枕本体1と高さ調整用パッド3に被せられ、使用されると、枕本体に加わる体圧が、使用者の後頭部55に接触する部分に加わる体圧と、使用者の頸椎部分66に接触する部分に加わる体圧とにほどよく分配され、適切な体圧分布が発生するため、使用者は、枕に頭を乗せて横たわっている間、非常に安らかな睡眠、又は非常に快適な休息をとることができる。
【０００６】
このように、まっすぐ横たわった状態での最適な頸椎角度(α) と顔角度(β) を見てみると、頸椎角度(α)は、肩峰点(the outermost point of one of shoulders) 99と耳珠点(the tragus point of the corresponding one of ears)88とを繋ぐ線と地面の間の角度で、平均12°であり、顔角度(β)は、額(brow)と人中(philtrum)とを繋ぐ線と地面の間の角度で、平均5°の角度だった。
【０００７】
図4は、頭の奥行と頭の幅の比率差が小さい人が、図3に示す枕をした状態を示した状態図であって、後頭部が平たい人の場合、後頭部55での体圧より頸椎部分66での体圧が高くなり、首が必要以上に後ろへ下がって、後ろ首に痛みが誘発されたり、睡眠中に口が開くことにより口の中が乾燥して熟睡することができなかった。
【０００８】
図4に示されたような場合、頸椎角度(α)は平均9°、顔角度(β)は平均1°で、安らかな睡眠をとるのに不適切な状態であって、図3の頸椎角度(α)及び顔角度(β)と比較すると、適切な角度から外れた睡眠姿勢であることが分かる。
【０００９】
図5は、頭の奥行と頭の幅の比率差が大きい人が、図3に示された枕をした状態を示した状態図であって、後頭部55での体圧が頸椎部分66での体圧より高くなり、首が必要以上に前へ曲がり、鼾をかく確率が高くなる。
【００１０】
図5に示されたような場合、実験結果を見るとまっすぐ横たわった状態で頸椎角度(α)と顔角度(β)を見てみると、頸椎角度(α)は平均17°、顔角度(β)は平均18°であって、安らかな睡眠をとるのに不適切な状態であることが分かる。
【００１１】
今までの説明で引用された「頭の奥行」及び「頭の幅」の語は、大韓民国産業資源部技術標準院の国民標準体位調査の測定方法による人体部位の大きさ表示を示した用語である。
【００１２】
図6及び図7は、頭の幅89及び頭の奥行90を説明するために、大韓民国産業資源部の技術標準院で人体測定方法を定義した図を引用した人の頭の形状を正面から示した図であって、頭の幅89は頭の両側で最も突き出た部位の間の直線距離であって、頭の奥行90は眉部91から後頭部点92までの直線距離で国民標準体位調査の測定方法に定義されている。
【００１３】
このように人体の大きさに対して枕本体1の高さを高さ調整用パッド3により調整して使用すると、韓国人の平均的な頭の形状を有する人の場合は、安らかな睡眠をとることができる反面、後頭部が平たかったり、突き出ている等、頭の形状が平均的な頭の形状から外れる人の場合は、頭の形状により頭接触部分42の高さにバラツキが生じ、安らかな睡眠をとることができなかった。
【００１４】
上記のような大韓民国特許公開第2001-0099097号は、高さ調整用パッドを利用して人の座高に応じて使用に適した高さを有する枕に調整できるという長所はあるものの、高さ調整用パッドが枕本体の下部を全体的に支持する、すなわち、高さ調整用パッドは枕本体を個別に支持できないため、人の頭の形状、特に後頭部の形状によって頭を支える部分の枕の高さにバラツキが生じ、安らかな睡眠を提供することが困難だという問題点があった。
【発明の開示】
【発明が解決しようとする課題】
【００１５】
従って、本発明の目的は、枕の使用者が自分の身体的特徴に基づいてより正確な高さの枕を選択できるようにして、安らかな睡眠をとることができるように、使用者の頭の形状を勘案して座高を基準に枕の高さをより正確、且つ容易に調整できる枕を提供することにある。
【課題を解決するための手段】
【００１６】
上記のような目的は、枕本体内容物11が満たされる空間を有する枕本体袋13と、頸椎の高さ調整用内容物21が満たされる空間を形成するために、頸椎が接触する部分51の下側で上記枕本体袋13と一体的に形成される頸椎の高さ調整用袋23と、上記頸椎の高さ調整用袋23に隣接して配置され、頭の高さ調整用内容物31が満たされる空間を形成するために、頭が接触する部分52の下側で上記枕本体袋13と一体的に形成される頭の高さ調整用袋33を備えることを特徴とする、本発明による枕により達成できる。
【００１７】
上記で、枕本体袋13と頸椎の高さ調整用袋23と頭の高さ調整用袋33の入口はスライドファスナー100により開閉される。
【００１８】
また、枕本体袋13と頸椎の高さ調整用袋23と頭の高さ調整用袋33の入口は、ベルクロファスナー101により開閉されることも可能である。
【００１９】
好ましくは、頸椎の高さ調整用袋23に満たされる頸椎の高さ調整用内容物21と、頭の高さ調整用袋33に満たされる頭の高さ調整用内容物31は、パッドの形態である。
【００２０】
更に、頸椎の高さ調整用袋23に満たされる頸椎の高さ調整用内容物21と、頭の高さ調整用袋33に満たされる頭の高さ調整用内容物31は、パイプの形態をとることも可能である。
【発明の効果】
【００２１】
上述するように、本発明の枕は、枕本体内容物が満たされる空間を有する枕本体袋と、頸椎の高さ調整用内容物が満たされる空間を形成するために、頸椎が接触する部分の下側で上記枕本体袋と一体的に形成される頸椎の高さ調整用袋と、上記頸椎の高さ調整用袋に隣接して配置され、上記頸椎の高さ調整用内容物が満たされる空間を形成するために、頭が接触する部分の下側で上記枕本体袋と一体的に形成される頭の高さ調節袋を備えており、これによって、枕の使用者が自分の身体的特徴に基づいてより正確な高さの枕に容易に調整して使用できるようにして、安らかな睡眠をとることができる。
【発明を実施するための最良の形態】
【００２２】
図8aは内容物が満たされた状態の本発明による枕を示した斜視図であり、図8bは内容物が満たされていない状態の本発明による枕を示した図であり、図9a及び図9bは図8aで線A-Aに沿った断面図であって、それぞれ異なる形態の内容物が満たされた状態を示した図であり、図10a及び図10bは図8aで線B-Bに沿った断面図であって、図10bは内容物が満たされた状態で余分な枕本体袋、頸椎の高さ調整用袋、及び頭の高さ調整用袋部分を折り畳む状態を示した図9と類似する図である。
【００２３】
図示されたように、枕本体袋13は枕本体内容物11が満たされる空間12を有し、また、多数のパッドのような頸椎の高さ（頭を枕に乗せた時の頸椎の位置）調整用内容物21が満たされる空間22を有する頸椎の高さ調整用袋23が、頸椎が接触する部分51の下側で枕本体袋13と一体的に形成され、また、多数のパッドのような頭の高さ（頭を枕に乗せた時の頭の位置）調整用内容物31が満たされる空間32を有する頭の高さ調整用袋33が、頭が接触する部分52の下側で枕本体袋13と一体的に形成される。 
【００２４】
図9a及び図9bにより詳しく示されたように、枕本体袋13により作られた空間12、頸椎の高さ調整用袋23により作られた空間22、及び頭の高さ調整用袋33により作られた空間32に枕本体内容物11、頸椎の高さ調整用内容物21、及び頭の高さ調整用内容物11が満たされた後、図10bに示されたように、余分な枕本体袋13、頸椎の高さ調整用袋23、及び頭の高さ調整用袋33は、それぞれ折り畳まれて枕本体内容物11と頸椎の高さ調整用内容物21の間、及び枕本体内容物11と頭の高さ調整用内容物31の間に挟まれる。 
【００２５】
枕本体内容物11は綿、穀物、鉱物、木材、合成樹脂などのような通常の枕材質が使用でき、頸椎の高さ調整用内容物21と頭の高さ調整用内容物31は、圧縮綿で作られる板状のパッドを使用できるが、枕本体内容物11のように綿、穀物、鉱物、木材、合成樹脂などのような枕材質も使用できる。頸椎の高さ調整用内容物21と頭の高さ調整用内容物31は、図9bに示されたように例えば8mmの直径を有する合成樹脂から作られたパイプが使用できる。
【００２６】
通常、人の身長差1cmに対して枕の高さは平均0.5mmの差が示されるが、パイプ形態の頸椎の高さ調整用内容物21と頭の高さ調整用内容物31を使用するとき、枕本体内容物11の高さはパイプの数量を加減することにより容易に調整できる。頸椎の高さ調整用内容物21と頭の高さ調整用内容物31として使用されるパイプは、合成樹脂の他にも種々の材質を使用でき、また、円形または四角形、五角形、六角形、及び八角形のような多様な形態とすることができる。
【００２７】
更に、頸椎の高さ調整用内容物21と頭の高さ調整用内容物31は互いに相異なる形態とすることができる。即ち、頸椎の高さ調整用内容物21は上記のようなパイプ形態のものを使用しつつ、頭の高さ調整用内容物31はパッド形態のものが使用できる。
【００２８】
一方、枕本体内容物11と頸椎の高さ調整用内容物21と頭の高さ調整用内容物31の量によって、枕に頭を乗せた時に枕本体袋13に頸椎が接触する部分51と頭が接触する部分52の位置ないし高さが別々に調整できる。枕本体袋13と頸椎の高さ調整用袋23と頭の高さ調整用袋33は、通常使用される織物から製造され、本発明の実施例においては伸縮性のある織物にて製造し、ミシンなどを利用した裁縫により形成される裁縫線60によって結合される。
【００２９】
このような実施例において、枕本体内容物11、頸椎の高さ調整用内容物21、及び頭の高さ調整用内容物31は、枕本体袋13、頸椎の高さ調整用袋23、及び頭の高さ調整用袋33の入口を容易に開放及び密閉させることができるように、枕本体袋13、頸椎の高さ調整用袋23、及び頭の高さ調整用袋33の入口に、図示されたようにジッパーまたはスライドファスナーのような開閉部材100が付着される。
【００３０】
又、枕本体内容物11、頸椎の高さ調整用内容物21、及び頭の高さ調整用内容物31が、枕本体袋13、頸椎の高さ調整用袋23、及び頭の高さ調整用袋33に満たされるとき、各袋に満たされる頸椎の高さ調整用内容物21と頭の高さ調整用内容物31の量によって伸縮性が向上するように、スライドファスナー100の代わりに、枕本体袋13、頸椎の高さ調整用袋23、及び頭の高さ調整用袋33の入口がベルクロファスナーにより開閉されることも可能である。
【００３１】
枕本体袋13に満たされた枕本体内容物11の量、頸椎の高さ調整用袋23に満たされた頸椎の高さ調整用内容物21の量、及び頭の高さ調整用袋33に満たされた頭の高さ調整用内容物31の量の選択基準が、性別及び年齢別に表示された使用者の座高と身長、身長による標準体重と、使用者の頭の幅と頭の奥行の比率を区分に基づいて記載された枕の使用説明書を作成することにより、さらに使用上便利にすることができる。
【図面の簡単な説明】
【００３２】
【図１】先行技術により製造された枕本体と高さ調整用パッドから成る枕の斜視図である。
【図２】図1の状態に枕カバーを被せた状態の断面図である。
【図３】図3〜図5は、それぞれ異なる頭の形状を有する人が、図2に示した枕をしている状態をそれぞれ示した図である。
【図４】図3〜図5は、それぞれ異なる頭の形状を有する人が、図2に示した枕をしている状態をそれぞれ示した図である。
【図５】図3〜図5は、それぞれ異なる頭の形状を有する人が、図2に示した枕をしている状態をそれぞれ示した図である。
【図６】人の頭の形状の正面図である。
【図７】人の頭の形状の側面図である。
【図８】図8aは、内容物が満たされた状態の本発明による枕を示した斜視図であり、図8bは内容物が満たされていない状態の本発明による枕を示した図である。
【図９】図9a及び図9bは、図8aで線A-Aに沿った断面図であって、それぞれ異なる形態の内容物が満たされた状態を示した図である。
【図１０】図10a及び図10bは、図8aで線B-Bに沿った断面図であって、図10bは内容物が満たされた状態で余分な枕本体袋、頸椎の高さ調整用袋、及び頭の高さ調整用袋部分が折り畳まれる状態を示した図9と類似する図である。
【図１】
2005520585.tif 000003
【図２】
2005520585.tif 000004
【図３】
2005520585.tif 000005
【図４】
2005520585.tif 000006
【図５】
2005520585.tif 000007
【図６】
2005520585.tif 000008
【図７】
2005520585.tif 000009
【図８ａ】
2005520585.tif 000010
【図８ｂ】
2005520585.tif 000011
【図９ａ】
2005520585.tif 000012
【図９ｂ】
2005520585.tif 000013
【図１０ａ】
2005520585.tif 000014
【図１０ｂ】
2005520585.tif 000015
【国際調査報告】
2005520585.tif 000016
2005520585.tif 000017